(57)【要約】【課題】タイミングよく容易に浴槽水の熱を回収する風呂給湯機を得ること。【解決手段】浴槽内の湯と、浴槽に湯を送水する貯湯タンク内の沸き上げ途中の水との間の熱交換によって浴槽内の湯の廃熱を回収する熱回収機能を有した風呂給湯機において、浴槽内の湯に関する湯状態を維持させる湯状態維持機能が湯状態の維持処理を停止させると、熱回収機能の動作を開始させるまでの予め設定された時間を熱回収開始時間として計測するタイマ５と、タイマ５が熱回収開始時間の計測を終えると、熱回収機能の動作を開始させるマイクロコンピュータ１３と、を備える。【選択図】        図２
2007278578.tif 000002
【特許請求の範囲】
【請求項１】
浴槽内の湯と、前記浴槽に湯を送水する貯湯タンク内の沸き上げ途中の水との間の熱交換によって前記浴槽内の湯の廃熱を回収する熱回収機能を有した風呂給湯機において、
前記浴槽内の湯に関する湯状態を維持させる湯状態維持機能が湯状態の維持処理を停止させると、前記熱回収機能の動作を開始させるまでの予め設定された時間を熱回収開始時間として計測するタイマと、
前記タイマが前記熱回収開始時間の計測を終えると、前記熱回収機能の動作を開始させる熱回収制御部と、
を備えることを特徴とする風呂給湯機。
【請求項２】
前記タイマの設定制御を行なう指示情報が入力されるとともに、入力された指示情報に基づいて前記タイマの設定制御を行なう設定操作部をさらに備え、
前記タイマは、前記設定操作部に前記熱回収開始時間を延長させる指示情報が入力されると、時間延長させた前記熱回収開始時間を再設定して熱回収開始時間を計測することを特徴とする請求項１に記載の風呂給湯機。
【請求項３】
前記設定操作部は、前記熱回収開始時間を延長させる延長時間が入力される延長時間入力部を有し、
前記タイマは、前記延長時間入力部に入力された延長時間に基づいて、時間延長させた前記熱回収開始時間を再設定し、熱回収開始時間を計測することを特徴とする請求項２に記載の風呂給湯機。
【請求項４】
前記設定操作部は、前記熱回収制御部が前記熱回収機能の動作を開始させる前に、前記熱回収機能の動作を開始させることを報知する報知部を有することを特徴とする請求項２または３に記載の風呂給湯機。
【発明の詳細な説明】
【技術分野】
【０００１】
本発明は風呂給湯機に関し、特に熱回収機能を有する風呂給湯機に関するものである。
【背景技術】
【０００２】
従来の風呂給湯機として、例えば入浴が終わった後に残った浴槽水と貯湯タンク内の沸きあげ途中の水とを熱交換することによって廃熱を回収する機能（以下、熱回収機能という）を持った風呂給湯機がある。
【０００３】
このような風呂給湯機においては、台所や浴槽の壁に設置されたリモートコントローラのスイッチによる入力操作によって、風呂給湯機の各動作や設定変更を指令している。すなわち、リモートコントローラのスイッチによる入力操作によって、熱回収機能の開始及び停止、自動湯はりの開始及び停止、風呂設定温度の変更、風呂設定湯量の変更、設定状態維持機能（風呂自動機能）（浴槽水の温度及び量を所定の設定状態に所定時間だけ保つ機能）による浴槽水の設定状態を継続させるタイマ時間（設定継続タイマ時間）の変更、設定状態維持機能の開始及び停止等の各動作や設定変更を指令している。
【０００４】
このリモートコントローラには、入力操作に応じた音声や電子音等によるメッセージの報知機能や、入力操作に応じた風呂給湯機の状態を視覚的に認知させるための状態の表示機能が設けられており、入力操作の内容を音と表示によって分りやすく操作者に認知させている。
【０００５】
ところで、風呂給湯機の熱回収機能は、風呂給湯機に対するユーザの多様な使用パターンにマッチさせてタイミングよく動作させる必要がある。また、熱回収機能の使い勝手を向上させて、浴槽内に残った水（温水）の熱を容易に熱回収することが望まれる。
【０００６】
浴槽水の熱を容易に回収するため、例えば風呂給湯機の設定状態維持機能の設定継続タイマーの設定時間を０時間設定（設定状態維持機能を利用しない設定）にすると、浴槽への湯はり完了と同時に熱回収機能が動作してしまい、入浴前に浴槽の熱が回収されて冷めてしまう。このため、浴槽への湯はり完了と同時に自動的に熱回収を行なう自動熱回収機能は使用できなかった。この問題点を解決するため、手動で熱回収機能を開始させる方法がある。
【０００７】
特許文献１に記載のマルチヒートポンプ給湯システムは、給湯機の熱回収機能が自動的に動作する機能として、自動風呂機能が終了した時点（入浴終了と同時）で熱回収運転を開始する機能を備えている。
【０００８】
【特許文献１】特開平２−１７８５７６号公報（図７）
【発明の開示】
【発明が解決しようとする課題】
【０００９】
しかしながら、上記従来の技術では、最終の入浴者が手動で熱回収機能を開始させなければならない煩わしさが有るとともに、熱回収操作のし忘れにより熱回収機能が動作しない場合が生じるといった問題があった。
【００１０】
本発明は、上記に鑑みてなされたものであって、タイミングよく容易に浴槽水の熱を回収する風呂給湯機を得ることを目的とする。
【課題を解決するための手段】
【００１１】
上述した課題を解決し、目的を達成するために、本発明は、浴槽内の湯と、前記浴槽に湯を送水する貯湯タンク内の沸き上げ途中の水との間の熱交換によって前記浴槽内の湯の廃熱を回収する熱回収機能を有した風呂給湯機において、前記浴槽内の湯に関する湯状態を維持させる湯状態維持機能が湯状態の維持処理を停止させると、前記熱回収機能の動作を開始させるまでの予め設定された時間を熱回収開始時間として計測するタイマと、前記タイマが前記熱回収開始時間の計測を終えると、前記熱回収機能の動作を開始させる熱回収制御部と、を備えることを特徴とする。
【発明の効果】
【００１２】
この発明によれば、熱回収機能の動作を開始させるまでの時間の計測を終えた後に、熱回収機能の動作を開始させるので、ユーザ所望のタイミングで熱回収機能を容易に動作させることが可能になるという効果を奏する。
【発明を実施するための最良の形態】
【００１３】
以下に、本発明にかかる風呂給湯機の実施の形態を図面に基づいて詳細に説明する。なお、この実施の形態によりこの発明が限定されるものではない。
【００１４】
実施の形態
図１は、本発明の実施の形態に係る風呂給湯システムの構成を示す図である。風呂給湯システム１００は、風呂給湯機１、浴室リモートコントローラ２、台所リモートコントローラ３を備えている。風呂給湯機１は、浴室リモートコントローラ２、台所リモートコントローラ３と接続されている。
【００１５】
風呂給湯機１は、図示しない貯湯タンクユニット（貯湯タンク）、ヒートポンプユニット、浴槽等と所定の配管で接続されており、浴槽内の水（湯）を所定の設定温度、所定の設定湯量に制御する設定状態維持機能（風呂自動機能）を備えている。また、風呂給湯機１は、入浴後の浴槽内の残り湯と貯湯タンク内の沸きあげ途中の水との熱交換によって、廃熱を回収する熱回収機能を備えている。風呂給湯機１は、制御部１０を備えており、この制御部１０が設定状態維持機能、熱回収機能を制御する。なお、ここでの設定状態維持機能が特許請求の範囲に記載の湯状態維持機能に対応する。
【００１６】
なお、以下の説明では説明の便宜上、タイマ機能によって所定の時刻に熱回収を行なう場合の熱回収機能をタイマ熱回収機能とし、ユーザのマニュアル操作によって熱回収を行なう場合の熱回収機能を手動熱回収機能として説明する。また、タイマ熱回収機能および手動熱回収機能を合わせて熱回収機能という場合がある。
【００１７】
浴室リモートコントローラ２は、例えば浴槽が配設される浴室内の壁面に設置され、浴槽内の湯温設定値の変更、湯量設定値の変更、設定状態維持機能の動作（開始や停止）等を風呂給湯機１に命令（指示情報を送信）する。浴室リモートコントローラ２は、自装置を制御するとともに、風呂給湯機１へ所定の指示情報を送信する制御部２０を備えている。制御部２０は、手動熱回収機能を動作（開始や停止）させるための風呂熱回収スイッチ２８（入力ボタン）を備えている。
【００１８】
台所リモートコントローラ３は、例えば台所や洗面所等の壁面に設置され、設定状態維持機能の動作等を風呂給湯機１に命令（指示情報を送信）する。台所リモートコントローラ３は、自装置を制御するとともに、風呂給湯機１へ所定の指示情報を送信する制御部３０を備えている。制御部３０は、タイマによって所定の時刻にタイマ熱回収機能を動作（設定）させるための風呂熱回収タイマスイッチ３９Ａ、タイマ設定スイッチ３９Ｂ，３９Ｃ（入力ボタン）を備えている。
【００１９】
タイマ設定スイッチ３９Ｂ，３９Ｃは、風呂熱回収タイマスイッチ３９Ａによるタイマ熱回収機能を動作させる際の熱回収開始タイマ（後述のタイマ５）の設定時間を変更するためスイッチである。タイマ設定スイッチ３９Ｂは、熱回収開始タイマの設定時間を長くするためのスイッチであり、タイマ設定スイッチ３９Ｃは、熱回収開始タイマの設定時間を短くするためのスイッチである。
【００２０】
つぎに、風呂給湯システム１００の詳細な構成について説明する。図２は、図１に示した風呂給湯システムの制御ブロック図である。風呂給湯機１の制御部１０は、電源部１１、通信回路１２、マイクロコンピュータ（熱回収制御部）１３、タイマ５、湯はり検出部６を備えている。
【００２１】
電源部１１は、制御部１０が動作するための電力を制御部１０内へ供給する。電源部１１は、通信回路１２と接続されており通信回路１２を介して制御部１０内に所定の電力を供給する。
【００２２】
通信回路１２は、マイクロコンピュータ１３と接続されるとともに、浴室リモートコントローラ２（制御部２０）および台所リモートコントローラ３（制御部３０）と接続されている。通信回路１２は、浴室リモートコントローラ２および台所リモートコントローラ３との間で送受信する通信信号の変換を行なう。
【００２３】
マイクロコンピュータ１３は、浴室リモートコントローラ２および台所リモートコントローラ３との間で通信信号を送受信するとともに、この通信信号を解析する。マイクロコンピュータ１３は、解析した通信信号に基づいて、風呂給湯機１の制御処理を行なう。マイクロコンピュータ１３は、通信回路１２、タイマ５、湯はり検出部６と接続されており、通信回路１２、タイマ５、湯はり検出部６の動作を制御する。
【００２４】
タイマ５は、所定の時刻にタイマ熱回収機能を動作（開始）させるためのタイマ（熱回収開始タイマ）であり、台所リモートコントローラ３の風呂熱回収タイマスイッチ３９Ａ、タイマ設定スイッチ３９Ｂ，３９Ｃに入力された情報に基づいて、タイマ熱回収機能を動作させるまでの時間を測定する。タイマ５は、タイマ熱回収機能を動作させる時刻になると、タイマ熱回収機能を動作させる時刻であることをマイクロコンピュータ１３に通知する。ここでのタイマ５は、設定状態維持機能を動作（停止）させるためのタイマ（設定継続タイマ）としても用いる。
【００２５】
湯はり検出部６は、貯湯タンクユニットによる浴槽への湯はりが完了したか否かを検出し、貯湯タンクユニットによる湯はりが完了すると、貯湯タンクユニットによる湯はりが完了したことをマイクロコンピュータ１３に通知する。
【００２６】
浴室リモートコントローラ２の制御部（設定操作部）２０は、電源部２１、通信回路２２、マイクロコンピュータ２３、表示器２４、音声ＩＣ（Integrated Circuit）２５、アンプ２６、スピーカ２７、入力部２８０を備えている。
【００２７】
電源部２１は、制御部２０が動作するための電力を制御部２０内へ供給する。電源部２１は、通信回路２２と接続されており通信回路２２を介して制御部２０内に所定の電力を供給する。電源部２１は、風呂給湯機１の電源部１１、通信回路１２と接続されている。
【００２８】
通信回路２２は、マイクロコンピュータ２３と接続されるとともに、風呂給湯機１（制御部１０）および台所リモートコントローラ３（制御部３０）と接続されている。通信回路２２は、風呂給湯機１および台所リモートコントローラ３との間で送受信する通信信号の変換を行なう。
【００２９】
マイクロコンピュータ２３は、風呂給湯機１および台所リモートコントローラ３との間で通信信号を送受信するとともに、この通信信号を解析する。マイクロコンピュータ２３は、解析した通信信号に基づいて、浴室リモートコントローラ２の制御処理を行なう。マイクロコンピュータ２３は、通信回路２２、表示器２４、音声ＩＣ２５、アンプ２６、スピーカ２７、入力部２８０と接続されており、通信回路２２、表示器２４、音声ＩＣ２５、アンプ２６、スピーカ２７、入力部２８０の動作を制御する。
【００３０】
マイクロコンピュータ２３は、表示器２４への情報の表示指令（出力命令）や音声ＩＣ２５への音声フレーズの発声指令、停止指令などを行う。また、マイクロコンピュータ２３は、入力部２８０から入力された情報（例えば後述の風呂熱回収スイッチ２８からの押下信号）を解析し、この解析結果に基づいて手動熱回収機能を動作させるか否かの判断を行なう。マイクロコンピュータ２３による判断結果（手動熱回収機能の動作開始または動作停止）は、通信回路２２を介して風呂給湯機１に送信される。
【００３１】
表示器２４は、液晶ディスプレイなどを備えて構成され、マイクロコンピュータ２３からの指示情報に基づいて、浴槽内の実際の湯温、設定湯温、実際の湯量、設定湯量、風呂熱回収状態であるか否かといった風呂給湯システムに関する状態を表示する。
【００３２】
音声ＩＣ２５は、マイクロコンピュータ２３からの音声フレーズや電子音（警告音）の発声（出力）指令、停止指令に基づいて、発声指令や停止指令に応じた音声フレーズや電子音の音声信号を生成しアンプ２６に送信する。
【００３３】
アンプ２６は、音声ＩＣ２５から送信される音声信号を増幅してスピーカ２７に送信する。スピーカ２７は、アンプ２６から送信される音声信号を音声フレーズまたは電子音として出力する。アンプ２６は、例えば風呂熱回収を開始する際の開始予告（警告）に関する音声フレーズや電子音を出力する。
【００３４】
入力部２８０は、種々のスイッチ（入力ボタン）を備えており、浴室リモートコントローラ２への指示情報などがユーザによって入力される。入力部２８０は、風呂熱回収スイッチ２８を備えており、例えば風呂熱回収スイッチ２８がユーザによって押下されることにより、手動熱回収機能を動作させるための情報または手動熱回収機能を停止させるための情報をマイクロコンピュータ２３に送信する。
【００３５】
台所リモートコントローラ３の制御部３０は、電源部３１、通信回路３２、マイクロコンピュータ３３、表示器３４、音声ＩＣ３５、アンプ３６、スピーカ３７、入力部３８０を備えている。なお、ここでの表示器３４、スピーカ３７が特許請求の範囲に記載の報知部に対応する。
【００３６】
電源部３１は、制御部３０が動作するための電源を制御部３０内へ供給する。電源部３１は、通信回路３２と接続されており通信回路３２を介して制御部３０内に所定の電源を供給する。電源部３１は、風呂給湯機１の電源部１１や通信回路１２、浴室リモートコントローラ２の電源部２１や通信回路２２と接続されている。
【００３７】
通信回路３２は、マイクロコンピュータ３３と接続されるとともに、風呂給湯機１（制御部１０）および浴室リモートコントローラ２（制御部２０）と接続されている。通信回路３２は、風呂給湯機１および浴室リモートコントローラ２との間で送受信する通信信号の変換を行なう。
【００３８】
マイクロコンピュータ３３は、風呂給湯機１および浴室リモートコントローラ２との間で通信信号を送受信するとともに、この通信信号を解析する。マイクロコンピュータ３３は、通信回路３２、表示器３４、音声ＩＣ３５、アンプ３６、スピーカ３７、入力部３８０と接続されており、通信回路３２、表示器３４、音声ＩＣ３５、アンプ３６、スピーカ３７、入力部３８０の動作を制御する。
【００３９】
マイクロコンピュータ３３は、表示器３４への情報の表示指令（出力命令）や音声ＩＣ３５への音声フレーズの発声指令、停止指令などを行う。また、マイクロコンピュータ３３は、入力部３８０から入力された情報（例えば後述の風呂熱回収タイマスイッチ３９Ａ、タイマ設定スイッチ３９Ｂ，３９Ｃからの押下信号）を解析する。
【００４０】
マイクロコンピュータ３３は、風呂熱回収タイマスイッチ３９Ａが押下されたか否かに基づいて、タイマ熱回収機能の動作設定の判断を行い、タイマ設定スイッチ３９Ｂ，３９Ｃが押下されるとタイマ熱回収機能の動作を開始する時刻を判断する。マイクロコンピュータ３３による判断結果（動作設定、開始時刻の設定）は、通信回路３２を介して風呂給湯機１に送信される。
【００４１】
表示器３４は、液晶ディスプレイなどを備えて構成され、マイクロコンピュータ３３からの指示情報に基づいて、浴槽内の実際の湯温、設定湯温、実際の湯量、設定湯量、風呂熱回収状態であるか否かといった風呂給湯システムに関する状態を表示する。
【００４２】
音声ＩＣ３５は、マイクロコンピュータ３３からの音声フレーズや電子音の発声指令、停止指令に基づいて、発声指令、停止指令に応じた音声フレーズや電子音の音声信号を生成し、アンプ３６に送信する。
【００４３】
アンプ３６は、音声ＩＣ３５から送信される音声信号を増幅してスピーカ３７に送信する。スピーカ３７は、アンプ３６から送信される音声信号を音声フレーズまたは電子音として出力する。アンプ３６は、例えば風呂熱回収を開始する際の開始予告（警告）に関する音声フレーズや電子音を出力する。
【００４４】
入力部３８０は、種々のスイッチ（入力ボタン）を備えており、浴室リモートコントローラ２への指示情報などがユーザによって入力される。ここでの入力部３８０は、風呂熱回収タイマスイッチ３９Ａ、タイマ設定スイッチ（延長時間入力部）３９Ｂ，３９Ｃを備えている。
【００４５】
入力部３８０は、風呂熱回収タイマスイッチ３９Ａがユーザによって押下されることにより、タイマ熱回収機能を動作させるための情報またはタイマ熱回収機能を停止させるための情報をマイクロコンピュータ３３に送信する。
【００４６】
また、入力部３８０は、タイマ設定スイッチ３９Ｂが押下されると、タイマ熱回収機能の動作開始の設定時間（タイマ５の設定時刻）を長くするための指示情報をマイクロコンピュータ３３に送信し、タイマ設定スイッチ３９Ｃが押下されると、タイマ熱回収機能の動作開始の設定時間（タイマ５の設定時刻）を短くするための指示情報をマイクロコンピュータ３３に送信する。
【００４７】
なお、ここでは風呂給湯機１の制御部１０がタイマ５、湯はり検出部６を備える構成としたが、制御部１０とタイマ５、湯はり検出部６を別々の構成としてもよい。また、ここでは浴室リモートコントローラ２の制御部２０が、表示器２４、音声ＩＣ２５、アンプ２６、スピーカ２７、入力部２８０を備える構成としたが、制御部２０と表示器２４、音声ＩＣ２５、アンプ２６、スピーカ２７、入力部２８０を別々の構成としてもよい。また、ここでは台所リモートコントローラ３の制御部３０が、表示器３４、音声ＩＣ３５、アンプ３６、スピーカ３７、入力部３８０を備える構成としたが、制御部３０と表示器３４、音声ＩＣ３５、アンプ３６、スピーカ３７、入力部３８０を別々の構成としてもよい。
【００４８】
ここで、浴室リモートコントローラ２、台所リモートコントローラ３の操作パネルの概略構成および、浴室リモートコントローラ２、台所リモートコントローラ３による情報の表示例について説明する。
【００４９】
図３は、浴室リモートコントローラの操作パネルの構成の一例を示す図である。浴室リモートコントローラ２の操作パネル２００は、風呂熱回収スイッチ２８、表示器２４、電子音や音声フレーズ出力がされるスピーカ２７を配設している。ここでは、表示器２４に風呂熱回収機能に関する情報を表示していないため、熱回収機能（手動熱回収機能、タイマ熱回収機能）が停止している状態を示している。
【００５０】
図４は、浴室リモートコントローラによるタイマ熱回収機能の開始予告の表示例を示す図である。浴室リモートコントローラ２の表示器２４は、風呂熱回収の開始予告を示す情報（文字）や風呂熱回収中を示す情報（文字）を表示するための点灯部４ａを備えている。また、浴室リモートコントローラ２の表示器２４は、風呂熱回収中を示す情報（図）を表示するための点灯部４ｂを備えている。
【００５１】
ここでは、台所リモートコントローラ３によってタイマ熱回収機能が設定されている状態（自動風呂熱回収の設定状態）で、タイマ熱回収機能が動作する直前の浴室リモートコントローラ２（表示器２４）の表示状態（開始予告の表示中）を示している。
【００５２】
浴室リモートコントローラ２の表示器２４は、タイマ熱回収機能によって風呂熱回収が開始される直前に、風呂熱回収の開始予告を示す情報として例えば「風呂熱回収」と表現された文字を点灯部４ａによって所定時間だけ点滅表示させる。
【００５３】
また、このとき図３に示した浴室リモートコントローラ２のスピーカ２７からは、電子音や音声ガイダンスにより、タイマ熱回収機能によって風呂熱回収動作が開始されることを所定時間報知してもよい。なお、ここではタイマ熱回収機能が動作する直前であるため、風呂熱回収中を示すための点灯部４ｂは点灯していない。
【００５４】
図５は、浴室リモートコントローラによる熱回収機能の動作中の表示例を示す図である。ここでは、タイマ熱回収機能や手動熱回収機能が動作中（風呂熱回収中）である場合の表示器２４の表示状態を示している。
【００５５】
浴室リモートコントローラ２の表示器２４は、風呂熱回収が動作している間に、「風呂熱回収」の文字を点灯部４ａに点灯表示させるとともに、風呂熱回収中であることを示す例えば矢印３つの点灯部４ｂを点灯させる。
【００５６】
すなわち、浴室リモートコントローラ２の表示器２４は、風呂熱回収の開始予告を表示する場合は「風呂熱回収」の文字を点灯部４ａによって点滅表示させ、風呂熱回収中であることを表示する場合は「風呂熱回収」の文字を点灯部４ａに点灯表示させる。
【００５７】
なお、浴室リモートコントローラ２の表示器２４は、タイマ熱回収機能が設定中である場合（カウントダウン中）に、タイマ熱回収機能が設定中であることを示す情報（文字など）を所定の点灯部（図示せず）に表示させてもよい。
【００５８】
図６は、台所リモートコントローラの操作パネルの構成の一例を示す図である。台所リモートコントローラ３の操作パネル３００は、風呂熱回収タイマスイッチ３９Ａ、表示器３４、電子音や音声フレーズ出力がされるスピーカ３７、設定タイマスイッチ３９Ｂ，３９Ｃを配設している。ここでは、表示器３４に熱回収機能に関する情報を表示していないため、タイマ熱回収機能や手動熱回収機能が停止している状態を示している。
【００５９】
図７は、台所リモートコントローラによるタイマ熱回収機能の設定中の表示例を示す図である。台所リモートコントローラ３の表示器３４は、タイマ熱回収機能が設定中である場合にタイマ熱回収機能が設定中であることを示す情報（文字）を表示するための点灯部４ｃを備えている。また、台所リモートコントローラ３の表示器３４は、タイマ熱回収機能が設定中である場合のタイマ（風呂熱回収を開始するまでの時間）を表示する点灯部４ｄを備えている。
【００６０】
ここでは、台所リモートコントローラ３によってタイマ熱回収機能が設定されている状態（カウントダウン中）の表示器３４の表示状態を示している。台所リモートコントローラ３の表示器３４は、タイマ熱回収機能が設定中である場合（カウントダウン中）に、「タイマ風呂熱回収」の文字を点灯部４ａに点灯表示させるとともに、風呂熱回収を開始するまでの時間を点灯部４ｄに表示させる。
【００６１】
なお、このとき図３に示した台所リモートコントローラ３のスピーカ３７からは、電子音や音声ガイダンスにより、タイマ熱回収機能が設定中であることを報知してもよい。また、台所リモートコントローラ３の表示器３４は、タイマ熱回収機能によって風呂熱回収が開始される直前に、風呂熱回収の開始を示す例えば「タイマ風呂熱回収」と表現された文字を点灯部４ｃによって所定時間だけ点滅表示させてもよい。
【００６２】
また、台所リモートコントローラ３の表示器３４は、熱回収機能が動作中である場合に、所定の点灯部（図示せず）によって、風呂熱回収中を示す情報（文字など）を表示させてもよい。また、点灯部４ｄには、開始タイマーの設定を変更しているときのみに熱回収開始タイマの設定時間を表示させ、通常は現在時刻の表示を行なう構成としてもよい。
【００６３】
つぎに、風呂給湯システム１００の動作手順について説明する。図８は、風呂給湯システムの動作手順を示すフローチャートである。風呂給湯機１の湯はり検出部６は、貯湯タンクユニットによる浴槽への湯はりが完了したか否かを検出し（ステップＳ１０）、検出結果をマイクロコンピュータ１３に送信する。
【００６４】
湯はり検出部６は、貯湯タンクユニットによる湯はりが完了していない場合、湯はりが完了していないことをマイクロコンピュータ１３に通知する。これにより、マイクロコンピュータ１３は、湯はりが完了していないと判断し（ステップＳ１０、ＮＯ）、貯湯タンクユニットによる浴槽への湯はりが完了するまで待機状態となる。
【００６５】
一方、湯はり検出部６は、貯湯タンクユニットによる湯はりが完了すると、貯湯タンクユニットによる湯はりが完了したことをマイクロコンピュータ１３に通知する。これにより、マイクロコンピュータ１３は、貯湯タンクユニットによる浴槽への湯はりが完了したと判断する（ステップＳ１０、ＹＥＳ）。
【００６６】
貯湯タンクユニットによる浴槽への湯はりが完了する前に、浴室リモートコントローラ２または台所リモートコントローラ３から設定状態維持機能の動作を開始させる指示を風呂給湯機１に送信しておく。このとき、浴室リモートコントローラ２または台所リモートコントローラ３から風呂給湯機１へは、設定継続時間Ｔｆ（設定状態維持機能を動作させる時間の情報）が送信される。具体的には、浴室リモートコントローラ２のマイクロコンピュータ２３から通信回路２２（台所リモートコントローラ３のマイクロコンピュータ３３から通信回路３２）へ設定状態維持機能の動作を開始させる指示、設定継続時間Ｔｆの通信信号が送信される。そして、風呂給湯機１のマイクロコンピュータ１３は、この通信信号を通信回路１２を介して受信する。
【００６７】
貯湯タンクユニットによる浴槽への湯はりが完了すると、風呂給湯機１のマイクロコンピュータ１３は、受信した通信号に基づいて設定状態維持機能の設定継続時間Ｔｆをタイマ５（設定継続タイマ）にセットする。タイマ５は、マイクロコンピュータ１３によって設定状態維持機能の設定継続時間Ｔｆが設定されると、設定継続時間Ｔｆに対してカウントダウンを開始する。このとき、マイクロコンピュータ１３は、設定状態維持機能の動作（風呂設定の状態維持）を開始させる（ステップＳ２０）。
【００６８】
この後、マイクロコンピュータ１３は、タイマ５の値（設定継続時間Ｔｆ）が０になったか否かを判断する。すなわち、設定状態維持機能が設定継続時間Ｔｆの間、動作状態を継続したか否かを判断する（ステップＳ３０）。
【００６９】
マイクロコンピュータ１３がタイマ５の値は０になっていないと判断すると（ステップＳ３０、ＮＯ）、マイクロコンピュータ１３はタイマ５の値が０になったか否かを判断しながら待機する。
【００７０】
一方、マイクロコンピュータ１３がタイマ５の値が０になったと判断すると（ステップＳ３０、ＹＥＳ）、マイクロコンピュータ１３は設定状態維持機能を停止させて、タイマ熱回収機能を開始させるまでの時間である熱回収開始時間Ｔｈをタイマ５（熱回収開始タイマ）に設定する。そして、タイマ５は熱回収開始時間Ｔｈのカウントダウンを開始する（ステップＳ４０）。
【００７１】
これにより、台所リモートコントローラ３の表示器３４は、図７に示すようにタイマ熱回収機能が設定中であることを示す「タイマ風呂熱回収」の文字を点灯部４ｃに点灯表示させる。また、台所リモートコントローラ３の表示器３４は、点灯部４ｄにカウントダウン中の熱回収開始時間Ｔｈを表示させる。
【００７２】
なお、熱回収開始時間Ｔｈは、予め台所リモートコントローラ３の風呂熱回収タイマスイッチ３９Ａ、タイマ設定スイッチ３９Ｂ，３９Ｃからの押下信号に基づいて設定されるものである。すなわち、風呂熱回収タイマスイッチ３９Ａが押下され、タイマ設定スイッチ３９Ｂ，３９Ｃによって熱回収開始時間Ｔｈが設定入力されると、入力部３８０から、タイマ熱回収機能の設定を行なう指示情報とともに、熱回収開始時間Ｔｈが通信回路３２に送信される。これにより、風呂給湯機１のマイクロコンピュータ１３は、通信回路１２を介して台所リモートコントローラ３で入力されたタイマ熱回収機能の設定を行なう指示情報、熱回収開始時間Ｔｈを受信し、タイマ熱回収機能を動作させる熱回収開始時間Ｔｈをタイマ５に設定する。なお、タイマ熱回収機能の設定は、設定状態維持機能が停止する前であれば何れのタイミングで行なってもよい。
【００７３】
この後、マイクロコンピュータ１３は、タイマ５の値（熱回収開始時間Ｔｈ）が０になったか否かを判断する。すなわち、マイクロコンピュータ１３は、熱回収開始時間Ｔｈが経過したか否かを判断する（ステップＳ５０）。
【００７４】
マイクロコンピュータ１３がタイマ５の値は０になっていないと判断すると（ステップＳ５０、ＮＯ）、マイクロコンピュータ１３はタイマ５の値が０になったか否かを判断しながら待機する。
【００７５】
一方、マイクロコンピュータ１３が、タイマ５の値が０になったと判断すると（ステップＳ５０、ＹＥＳ）、マイクロコンピュータ１３はタイマ熱回収機能の開始予告を行なう。このとき、マイクロコンピュータ１３は、風呂熱回収を開始することを示す情報（開始予告の情報）を浴室リモートコントローラ２に送信する。
【００７６】
すなわち、マイクロコンピュータ１３からのタイマ熱回収機能の開始予告の情報は、通信回路１２へ通信信号として送信され、通信回路１２を介して浴室リモートコントローラ２の通信回路２２へ送信される。浴室リモートコントローラ２の通信回路２２が風呂給湯機１からタイマ熱回収機能の開始予告の情報を受信すると、通信回路２２から開始予告の情報がマイクロコンピュータ２３に送信される。そして、マイクロコンピュータ２３は、風呂熱回収を開始する予告通知を表示器２４やスピーカ２７に行わせる。
【００７７】
具体的には、浴室リモートコントローラ２の表示器２４は、図４に示すように「風呂熱回収」の文字を点灯部４ａに点滅表示させる。さらに、マイクロコンピュータ２３から音声ＩＣ２５に、風呂熱回収を開始する予告通知として音声フレーズや電子音の出力命令が出力される。これにより、音声ＩＣ２５は、マイクロコンピュータ２３からの音声フレーズや電子音の出力命令に応じた音声フレーズや電子音の音声信号を生成し、アンプ２６に送信する。
【００７８】
アンプ２６は、音声ＩＣ２５から送信される音声信号を増幅してスピーカ２７に送信する。スピーカ２７は、アンプ２６から送信される音声信号を音声フレーズ、電子音として出力する。スピーカ２７は、例えば風呂熱回収を開始する予告通知として、例えば「ピーピーピー」といった電子音や「まもなく風呂熱回収を開始します」といった音声を出力し、入浴者（ユーザ）などに風呂熱回収の開始予告を認識させる（ステップＳ６０）。
【００７９】
マイクロコンピュータ１３は、入浴者から風呂熱回収の延長指示を待つための時間としてタイマ５に所定の待機時間（例えば１５秒）を設定し、タイマ５にカウントダウウンさせる。
【００８０】
浴室リモートコントローラ２のマイクロコンピュータ１３は、待機時間の間、入浴者から風呂熱回収の延長指示が入力部２８０に入力されたか否かを判断する（ステップＳ７０）。タイマ熱回収機能の動作の開始予告が浴室リモートコントローラ２から表示と音声によって報知された際に浴室内に入浴者がいた場合、入浴者が風呂熱回収を延長させる場合は、入浴者によって風呂熱回収の延長指示が入力部２８０に入力される。入浴者は、例えば風呂熱回収スイッチ２８を押下することにより、風呂熱回収の延長指示を入力部２８０に入力する。
【００８１】
風呂熱回収の延長指示が入力部２８０に入力されると（ステップＳ７０、ＮＯ）、この延長指示はマイクロコンピュータ２３に送信される。マイクロコンピュータ２３は、タイマ熱回収機能による風呂熱回収処理の開始の延長を示す通信信号を通信回路２２に送信する。この通信信号は通信回路２２から風呂給湯機１の通信回路１２に送信され、通信回路１２を介してマイクロコンピュータ１３に送信される。
【００８２】
これにより、マイクロコンピュータ１３は、タイマ５（熱回収開始タイマ）に所定の延長時間（熱回収開始時間Ｔｅ）をセットすると同時に、タイマ５にカウントダウンを開始させる（ステップＳ８０）。
【００８３】
この後、マイクロコンピュータ１３は、タイマ５の値（熱回収開始時間Ｔｅ）が０になったか否かを判断する。すなわち、マイクロコンピュータ１３は、熱回収開始時間Ｔｈが経過したか否かを判断する（ステップＳ５０）。
【００８４】
以下、ステップＳ７０の処理において、マイクロコンピュータ１３が入浴者から風呂熱回収の延長指示が入力部２８０に入力されなかったと判断するまでステップＳ５０〜Ｓ８０の処理が繰り返される。
【００８５】
例えば、浴室内に入浴者がいない場合等では、入浴者から風呂熱回収の延長指示が入力部２８０に入力されない。この場合、ステップＳ７０の処理において、マイクロコンピュータ１３が入浴者から風呂熱回収の延長指示が入力部２８０に入力されなかったと判断する（ステップＳ７０、ＹＥＳ）。そして、マイクロコンピュータ１３は入浴者から風呂熱回収の延長指示が入力されていなければ、タイマ５に設定した所定の待機時間（例えば１５秒）が経過したか否かを判断する（ステップＳ９０）。
【００８６】
マイクロコンピュータ１３が、タイマ５に設定した所定の待機時間が経過したと判断するまでは（ステップＳ９０、ＮＯ）、ステップＳ６０の処理に戻り、風呂熱回収の延長指示の入力を待つ。
【００８７】
そして、マイクロコンピュータ１３は、所定の待機時間の間、ユーザからの風呂熱回収の延長指示の入力がなければ（ステップＳ７０でＹＥＳ、かつステップＳ９０でＹＥＳ）、タイマ熱回収機能による熱回収処理を開始させる（ステップＳ１００）。このとき、マイクロコンピュータ１３は、通信回路１２へタイマ熱回収機能の開始を示す通信信号を送信する。通信回路１２は、この通信信号を浴室リモートコントローラ２の通信回路２２へ送信し、通信回路２２がマイクロコンピュータ２３に通信信号を送信する。これにより、マイクロコンピュータ２３は、図５に示すように、風呂熱回収の動作中を示す「風呂熱回収」の文字を点灯部４ａに点灯表示させるとともに、風呂熱回収の動作中を示す点灯部４ｂ（矢印３つ）を点灯させる。
【００８８】
このように、本実施の形態においては、タイマ熱回収機能によって設定状態維持機能の動作終了後の所定時間経過後に熱回収機能を動作させるので、設定状態維持機能の設定継続タイマ（タイマ５）の設定時間を０時間設定にした場合や設定状態維持機能を利用しない場合であっても、浴槽への湯はり完了と同時に熱回収機能が動作することがない。このため、入浴前に浴槽の熱が回収されて浴槽内の湯が冷めてしまうことがない。すなわち、風呂給湯システム１００は、設定状態維持機能を使わないユーザに対して、タイミングよく熱回収機能を提供することができる。したがって、熱回収機能を容易に利用することが可能となる。
【００８９】
また、家族全員の入浴が終わると思われる所定時間よりも前に設定状態維持機能を設定継続タイマによって終了させ、保温による熱量を省くような使用パターンのユーザに対しても、最終入浴者が手動で熱回収機能を開始させなければならない煩わしさを無くならせることができる。これにより、熱回収機能を開始させる操作のし忘れなどにより、熱回収機能を使用しない日を減らすことができ、熱回収機能による省エネルギ効果を得ることができる。また、ユーザが入浴中の場合であっても、風呂熱回収の開始が事前に報知されるので、浴室リモートコントローラ２からの操作によって熱回収機能の停止命令や開始延長を命令できる。したがって、ユーザが入浴中に湯を冷ましてしまうことを回避できるとともに、熱回収機能を熱回収開始タイマによる所定の設定時間が経過した後に、熱回収機能を動作させることが可能となる。すなわち、風呂給湯システム１００は、設定状態維持機能を使用し、家族全員の入浴が終了する所定時間前に設定状態維持機能を停止するユーザに対しても、タイミングよく熱回収機能を提供することができる。
【００９０】
したがって、設定状態維持機能の完了時を基準に所定の時間経過後に、自動的に熱回収機能を動作させることができ、ユーザーの多様な使用パターンにマッチさせて熱回収機能の使い勝手を向上させることが可能となる。
【００９１】
このように実施の形態によれば、設定状態維持機能の完了時を基準として所定の時間経過後に、タイマ熱回収機能を動作させるので、タイミングよく容易に浴槽水の熱を回収する風呂給湯機を提供することが可能となる。
【００９２】
なお、本実施の形態では、風呂熱回収スイッチ２８を浴室リモートコントローラ２に配置した例について説明したが、風呂熱回収スイッチ２８を台所リモートコントローラ３に配置してもよい。さらに、風呂熱回収スイッチ２８を浴室リモートコントローラ２と台所リモートコントローラ３の両方に配置してもよい。
【００９３】
また、本実施の形態では、風呂熱回収スイッチ２８によって手動熱回収機能を動作させる場合について説明したが、風呂熱回収スイッチ２８によって手動熱回収機能を動作させる代わりに他のスイッチ（他の機能を動作させるスイッチ）を例えば連続押下することによって手動熱回収機能を動作させる構成としてもよい。
【００９４】
また、本実施の形態では、風呂熱回収タイマスイッチ３９Ａ、タイマ設定スイッチ３９Ｂ，３９Ｃを、台所リモートコントローラ３に配置した例について説明したが、風呂熱回収タイマスイッチ３９Ａ、タイマ設定スイッチ３９Ｂ，３９Ｃを浴室リモートコントローラ２に配置してもよい。さらに、風呂熱回収タイマスイッチ３９Ａ、タイマ設定スイッチ３９Ｂ，３９Ｃを浴室リモートコントローラ２と台所リモートコントローラ３の両方に配置してもよい。
【００９５】
また、本実施の形態１では、風呂熱回収タイマスイッチ３９Ａ、タイマ設定スイッチ３９Ｂ，３９Ｃによってタイマ熱回収機能を動作（設定）させる場合について説明したが、風呂熱回収タイマスイッチ３９Ａ、タイマ設定スイッチ３９Ｂ，３９Ｃによってタイマ熱回収機能を動作（設定）させる代わりに他のスイッチを例えば連続押下することによってタイマ熱回収機能を動作させる構成としてもよい。
【００９６】
また、図８のフローチャートについても、本発明はその制御方法に限定されるものではなく、適宜変更してもよい。例えば、設定状態維持機能の設定継続タイマによる設定状態維持機能の停止タイミングを基準にタイマ熱回収機能の熱回収開始タイマを始動する場合に限られず、浴室リモートコントローラ２や台所リモートコントローラ３からのスイッチ操作によって設定状態維持機能を停止させた時点を基準にタイマ熱回収機能の熱回収開始タイマを始動させてもよい。
【００９７】
また、風呂給湯システム１００において、浴室リモートコントローラ２や台所リモートコントローラ３が有線を介して風呂給湯機１と接続される場合ついて説明したが、浴室リモートコントローラ２、台所リモートコントローラ３と風呂給湯機１を無線によって接続し、通信信号を送受信する構成としてもよい。
【００９８】
また、本実施の形態では、風呂熱回収タイマスイッチ３９Ａ、タイマ設定スイッチ３９Ｂ，３９Ｃによって、ユーザがタイマ熱回収機能の開始時間（熱回収開始タイマ）を設定できることとしたが、タイマ熱回収機能の開始時間を風呂給湯機１のマイクロコンピュータ１３が保持している固定の所定時間としてもよい。
【００９９】
また、本実施の形態では、図８に示したフローチャートにおいて、風呂給湯システム１００が熱回収開始タイマを用いてタイマ熱回収機能の開始予告を行い、その開始を延長できる場合（ステップＳ６０〜Ｓ９０）について説明したが、熱回収開始タイマを用いてタイマ熱回収機能の開始予告を所定時間行った後に、タイマ熱回収機能の開始延長を行なわせることなくタイマ熱回収機能を開始させてもよい。すなわち、風呂給湯システム１００においてステップＳ７０，Ｓ８０の処理を省略させてもよい。
【０１００】
また、本実施の形態では、図８に示したフローチャートにおいて、風呂給湯システム１００が熱回収開始タイマを用いてタイマ熱回収機能の開始予告を行い、その開始を延長できる場合（ステップＳ６０〜Ｓ９０）について説明したが、熱回収開始タイマを用いたタイマ熱回収機能の開始予告を行わず、設定状態維持機能の動作停止後に直ちにタイマ熱回収機能を開始してもよい。すなわち、風呂給湯システム１００において、ステップＳ６０〜Ｓ８０の処理を省略し、ステップＳ５０の処理からステップＳ９０の処理へ以降する処理手順としてもよい。
【０１０１】
また、本実施の形態では、図８に示したフローチャートにおいて、風呂給湯システム１００が熱回収開始タイマを用いてタイマ熱回収機能の開始予告を行い、その開始を延長できる場合（ステップＳ６０〜Ｓ９０）について説明したが、タイマ熱回収機能の開始予告を行なった後、台所リモートコントローラ３や浴室リモートコントローラ２に所定の操作（ユーザによる指示情報の入力）が行なわれた場合にタイマ熱回収機能の開始延長を行なわず、直ちにタイマ熱回収機能を停止させることとしてもよい。
【０１０２】
また、本実施の形態では、設定状態維持機能の停止時点を基準に熱回収開始タイマをセットし、熱回収開始時間Ｔｈ（Ｔｅ）の経過後にタイマ熱回収機能の開始を行っているが（ステップＳ４０，Ｓ５０）、時計機能の現在時刻を基準としてタイマ予約時刻を設定し、現在時刻がタイマ予約時刻になった時点で熱回収機能の開始を行ってもよい。
【０１０３】
また、本実施の形態では、図８に示したフローチャートにおいて、風呂給湯機１にタイマ熱回収機能が設定される場合（図７の表示器３４の状態）について説明したが、タイマ熱回収機能が解除されている場合（図６の表示器３４表の状態）は、ステップＳ４０の処理において設定状態維持機能の停止処理のみを行い、ステップＳ５０〜Ｓ１００の処理を行わないこととしてもよい。この場合、風呂給湯機１は、従来の設定状態維持機能を備えた風呂給湯機と同様の動作を行なう。
【産業上の利用可能性】
【０１０４】
以上のように、本発明にかかる風呂給湯機は、浴槽水の廃熱回収に適している。
【図面の簡単な説明】
【０１０５】
【図１】本発明の実施の形態に係る風呂給湯システムの構成を示す図である。
【図２】図１に示した風呂給湯システムの制御ブロック図である。
【図３】浴室リモートコントローラの操作パネルの構成の一例を示す図である。
【図４】浴室リモートコントローラによるタイマ熱回収機能の開始予告の表示例を示す図である。
【図５】浴室リモートコントローラによる熱回収機能の動作中の表示例を示す図である。
【図６】台所リモートコントローラの操作パネルの構成の一例を示す図である。
【図７】台所リモートコントローラによるタイマ熱回収機能の設定中の表示例を示す図である。
【図８】風呂給湯システムの動作手順を示すフローチャートである。
【符号の説明】
【０１０６】
１  風呂給湯機
２  浴室リモートコントローラ
３  台所リモートコントローラ
４ａ〜４ｄ  点灯部
５  タイマ
６  湯はり検出部
１０，２０，３０  制御部
１１，２１，３１  電源部
１２，２２，３２  通信回路
１３，２３，３３  マイクロコンピュータ
２４，３４  表示器
２５，３５音声ＩＣ
２６，３６  アンプ
２７，３７  スピーカ
２８  風呂熱回収スイッチ
３９Ａ  風呂熱回収タイマスイッチ
３９Ｂ，３９Ｃ  タイマ設定スイッチ
１００  風呂給湯システム
２００  操作パネル
２８０，３８０  入力部
３００  操作パネル
【図１】
2007278578.tif 000003
【図２】
2007278578.tif 000004
【図３】
2007278578.tif 000005
【図４】
2007278578.tif 000006
【図５】
2007278578.tif 000007
【図６】
2007278578.tif 000008
【図７】
2007278578.tif 000009
【図８】
2007278578.tif 000010